(57)【要約】      （修正有）【課題】特にパブリックスペースに設置されるのに適し衛生上優れた構造のオストメイト用汚物流しユニットを提供する。【解決手段】オストメイト用汚物流しユニットが、前面に汚物流し部１１０及びパウチ洗浄用水栓１２０の備わったパネルプレート１００と、パネルプレートの前面がほぼ鉛直方向に沿って延在するように支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体２００とを備えている。【選択図】図３
2007111499.tif 000002
【特許請求の範囲】
【請求項１】
前面に汚物流し部及びパウチ洗浄用水栓が備わったパネルプレートと、
前記パネルプレートの前面がほぼ鉛直方向に沿って延在するように支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
を備えたことを特徴とするオストメイト用汚物流しユニット。
【請求項２】
前記汚物流し部を洗浄する洗浄用の水を前記汚物流し部に供給する供給配管内に埋設されたバキュームブレーカが前記パネルプレートの上限位置における汚物流し部溢れ面よりも上方に位置するように前記装置本体に固定されたことを特徴とする、請求項１に記載のオストメイト用汚物流しユニット。
【請求項３】
前記パウチ洗浄用水栓に温水を供給する温水器の出湯口が前記パネルプレートの昇降上限位置にあるパウチ洗浄用水栓への供給口と昇降下限位置にあるパウチ洗浄用水栓への供給口とのほぼ中間の高さに位置するように前記装置本体に固定されていることを特徴とする、請求項１又は請求項２に記載のオストメイト用汚物流しユニット。
【請求項４】
昇降上限位置にある前記パネルプレートの上端部よりも前記装置本体の上面が上方に位置し、かつ所定の広さを有する荷物載置用平坦部が当該装置本体の上面に形成されていることを特徴とする、請求項１乃至請求項３の何れかに記載のオストメイト用汚物流しユニット。
【発明の詳細な説明】
【技術分野】
【０００１】
本発明は、人口肛門や人工膀胱などのストーマを付けたオストメイトと呼ばれる人々がストーマから排泄される排泄物を流したり、ストーマに装着したパウチを洗浄したりするのに好適に用いられるオストメイト用汚物流しユニットに関する。
【背景技術】
【０００２】
ストーマを付けたオストメイトと呼ばれる人々がストーマから排泄される排泄物（以下「汚物」とする）を流したり、ストーマに付けたパウチを外して洗浄したりするのに用いられるオストメイト用汚物流しユニットは従来から知られている（例えば、特許文献１参照）。
【０００３】
かかる特許文献１に記載のストーマ便の処理装置は、オストメイトが身に付けたパウチを洗浄するための洗浄器であってオストメイトの身長差に応じてシンクを昇降させ、汚物を処理するようになっている。
【０００４】
より具体的にはこのストーマ便の処理装置は、水平方向に延在した洗面器状のシンクと、そのシンクの底部に接続された排出ホースと、シンクの上面開口部周縁近傍に備わった洗浄用水栓とを有し、シンク自体が水平状態を維持しながら洗浄用水栓とともに支柱に沿って昇降可能となっている。
【特許文献１】特開２００３−５６０１８号公報（２−３頁、図１）
【発明の開示】
【発明が解決しようとする課題】
【０００５】
このような特許文献１に記載の従来型のオストメイト用汚物流しユニットの構造は、汚物流し部を備え水平方向に支持されたテーブルがこの汚物流し部とともに昇降するようになっているため、汚物がテーブル上面に付着して乾燥し易い。そのため、駅のトイレや公衆トイレなどのパブリックスペースに一般的に設置されて不特定のオストメイトが使用するオストメイト用汚物流しユニットとしては衛生上好ましくない。
【０００６】
また、かかる従来の構造は汚物流し部と操作部がともに水平のテーブル上面に備わっているので、操作部が汚物によって汚れやすく、操作部の操作中に使用者の身体が汚物流し部の汚物に触れて衣服が汚れたりするおそれもある。
【０００７】
また、従来の構造によると操作部の支持プレートとテーブルとの間の隙間に汚物が入り込みやすく、衛生上好ましくない。
【０００８】
本発明の目的は、特にパブリックスペースへの設置に適した衛生上優れた構造のオストメイト用汚物流しユニットを提供することにある。
【課題を解決するための手段】
【０００９】
上述した課題を解決するために、本発明にかかるオストメイト用汚物流しユニットは、前面に汚物流し部及びパウチ洗浄用水栓が備わったパネルプレートと、前記パネルプレートの前面がほぼ鉛直方向に沿って延在するように支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、を備えたことを特徴としている。
【００１０】
従来構造のオストメイト用汚物流しユニットのように汚物流し部を備え水平方向に支持されたテーブルがこの汚物流し部とともに昇降するようになっていると、汚物がテーブル上面に付着して乾燥してしまい、特にパブリックスペースにおいて使用する頻度の高いオストメイト用汚物流しユニットとしては衛生上好ましくない。
【００１１】
しかしながら、本願発明のようなパネルプレートの前面がほぼ鉛直方向に沿って延在するとともにこの前面に汚物流し部及び洗浄用水栓の備わったオストメイト用汚物流しユニットの構成とすると、パネルプレート前面に汚物が付着しにくく、仮に付着しても下に垂れていくためにパネルプレート前面を水で流せばこれらの汚物を容易に洗い流すことが可能となるので、衛生的でありパブリックスペースにおいて特に好適に使用できる。
【００１２】
また、本発明の請求項２に記載のオストメイト用汚物流しユニットは、請求項１に記載のオストメイト用汚物流しユニットにおいて、前記汚物流し部を洗浄する洗浄用の水を前記汚物流し部に供給する供給配管内に埋設されたバキュームブレーカが前記パネルプレートの上限位置における汚物流し部溢れ面よりも上方に位置するように前記装置本体に固定されたことを特徴としている。
【００１３】
このような位置にバキュームブレーカを固定することで、パネルプレートが昇降上限位置から昇降下限位置までのどの位置で停止していても、汚水がバキュームブレーカから漏れることがなく、バキュームブレーカよりも上流側が汚水によって汚されることを確実に防ぐことができる。
【００１４】
また、本発明の請求項３に記載のオストメイト用汚物流しユニットは、請求項１又は請求項２に記載のオストメイト用汚物流しユニットにおいて、前記パウチ洗浄用水栓に温水を供給する温水器の出湯口が前記パネルプレートの昇降上限位置にあるパウチ洗浄用水栓への供給口と昇降下限位置にあるパウチ洗浄用水栓への供給口とのほぼ中間の高さに位置するように前記装置本体に固定されていることを特徴としている。
【００１５】
温水器の出湯口がこのようなパネルプレートの昇降上限位置にあるパウチ洗浄用水栓への供給口と昇降下限位置にあるパウチ洗浄用水栓への供給口とのほぼ中間位置になるように装置本体に固定されることで、この温水器からパネルプレートに備わった洗浄用水栓までの配管の長さを最も短くでき、温水器から洗浄用水栓までの温水の温度低下を極力抑えて所望の温度の温水を洗浄用水栓から流出させることができる。
【００１６】
また、本発明の請求項４に記載のオストメイト用汚物流しユニットは、請求項１乃至請求項３のいずれかに記載のオストメイト用汚物流しユニットにおいて、昇降上限位置にある前記パネルプレートの上端部よりも前記装置本体の上面が上方に位置し、かつ所定の広さを有する荷物載置用平坦部が当該装置本体の上面に形成されていることを特徴としている。
【００１７】
装置本体の上面であって汚物によって汚れることのない位置に荷物を置いておくことができるので、オストメイト用汚物流しユニットの使い勝手をより向上させることができる。
【発明の効果】
【００１８】
本発明のオストメイト用汚物流しユニットによると、パネルプレート前面に汚物が付着しにくく、仮に付着しても下に垂れていくためにパネルプレート前面を水で流せばこれらの汚物を容易に洗い流すことが可能となるので、衛生的でありパブリックスペースにおいて特に好適に使用できる。
【００１９】
また、バキュームブレーカを所定位置に固定することで、パネルプレートが昇降上限位置から昇降下限位置までのどの位置で停止していても、汚水がバキュームブレーカから漏れることがなく、バキュームブレーカよりも上流側が汚水によって汚されることを確実に防ぐことができる。
【００２０】
また、温水器の出湯口を装置本体の所定位置に固定することで、この温水器からパネルプレート前面に備わった洗浄用水栓までの配管の長さを最も短くでき、温水器から洗浄用水栓までの温水の温度低下を極力抑えて所望の温度の温水を洗浄用水栓から流出させることができるようになる。
【００２１】
また、荷物載置用平坦部を装置本体の所定位置に形成することで、装置本体の上面であって汚物によって汚れることのない位置に荷物や着替え、パウチ等を置いておくことができるようになる。
【発明を実施するための最良の形態】
【００２２】
以下、本発明の一実施形態にかかるオストメイト用汚物流しユニットについて図面に基づいて説明する。本発明の一実施形態にかかるオストメイト用汚物流しユニット１は、図１乃至図３に示すように、前面に汚物流し部１１０及びシャワー付き水栓（パウチ洗浄用水栓）１２０の備わったパネルプレート１００と、パネルプレート１００を昇降可能に支持する装置本体２００から構成されている。
【００２３】
装置本体２００は、パネルプレート１００の前面がほぼ鉛直方向に沿って延在するように支えるとともに当該パネルプレート１００を鉛直方向に移動可能に支持するガイド支持部２４０（図１参照）を備えている。そして、ガイド支持部２４０の内部には当該ガイド支持部２４０によって支持されたパネルプレート１００を所定の昇降上限位置と昇降下限位置との間で昇降させる水圧シリンダ（昇降駆動部）２４５が内蔵されている。
【００２４】
パネルプレート１００は例えば塩ビ鋼板でできており、縦長の長方形形状を有している。パネルプレート１００の前面中央部には陶器でできた汚物流し部１１０が取り付けられるとともに、パネルプレート１００の前面上方には汚物流し部１１０に洗浄水を流し込む固定水栓１３０及びシャワー水栓１４０からなるシャワー付き水栓１２０が備わっている。
【００２５】
パネルプレート前面に取り付けられた汚物流し部１１０は汚物を洗浄し易いように上面が大きく開口してリップ部１１１を形成している。リップ部１１１は、オストメイトがこのリップ部１１１にストーマより下の腹部を押し当てて排泄処理行為を行うのに適した形状、すなわち、排泄処理中に汚物が漏出しても汚物が汚物流し部１１０に自然に入っていく形状となっている。また、汚物流し部１１０の下側内部にはここでは図示しない封水機構が備わり、異臭の発生を防止している。
【００２６】
なお、汚物流し部１１０のリップ部１１１は汚物流し部溢れ面を形成している。なお、ここで言う溢れ面とは、排水口が詰まった時に、汚水が汚物流し外部に流れ出す面のことである。つまり、排水口が詰まる等という緊急時においても、汚物流し部１１０内で汚水は溢れ面までしか溜まらない。本実施形態では、汚物流し部１１０の上面形状が前面方向に下方傾斜している形状であるので、前面のリップ部が溢れ面となる。
【００２７】
また、パネルプレート前面上方には、固定水栓１３０に近接して水石鹸用タンク１５０ が備わるとともに、パネルプレート１００の汚物流し部１１０の開口部近傍には後述する電気温水器２７０の膨張水排出管１６０が備わっている。
【００２８】
なお、固定水栓１３０は水道水と電気温水器２７０（図７参照）の湯の混合水栓となっており、洗浄水の温度は固定水栓左側の湯温調整ノブ１３１のひねり量を変えることで適時調整可能となっている。また、シャワー水栓１４０は固定水栓１３０から図示しないホースで連結され、このホースの一部を水栓取り付け部１４１から引き出すことでシャワー口を任意の位置や方向に向けることができるようになっており、主にオストメイトが服を脱いでストーマやストーマ周辺を洗浄するのに用いられる。また、固定水栓１３０は主にオストメイトが装着していたパウチを外してパウチ内を洗浄するのに用いられる。
【００２９】
また、固定水栓１３０とシャワー水栓１４０の洗浄水の流水切り替え及び流出量の調整は固定水栓１３０の右側の切り替えノブ１３２を操作することで行うようになっている。また、固定水栓１３０の蛇口は水平方向に回転自在となっており、汚物流し部内壁底面の適当な位置に洗浄水を流出させることができるようになっている。
【００３０】
また、電気温水器２７０の膨張水排出管１６０は電気温水器２７０に溜まった余分な膨張水を適宜排水するようになっている。
【００３１】
また、汚物流し部１１０は後述するフラッシュバルブ２５０を作動させることで汚物流し部１１０の内面上部全周に形成されたリム部の穴（図示せず）から洗浄水を流出させて汚物流し部１１０の内側面を適宜洗浄可能となっている。
【００３２】
装置本体２００は、その外側部が前板及び側板に例えば木材でできた合板を用いてできているとともに、甲板と呼ばれる天板（荷物載置用平坦部）２０１にある程度強度のある樹脂性の合板を用いてできている。
【００３３】
なお、天板２０１はパネルプレート１００が上限位置に達したとき、パネルプレート１００の上端が天板２０１の形成面とほぼ同一の面となり、天板２０１の形成面よりも上方に突出せず、天板上に荷物や着替え、パウチ等を置けるようになっている。
【００３４】
また、装置本体２００の前面中央部分がその両側の引っ込み部２１０，２２０よりも前方に突出した前方突出部２３０を形成している（図２及び図３参照）。
【００３５】
そして、装置本体２００の内部には、図１に点線で示すように、前方突出部２３０の両側にパネルプレート１００をその上限位置と下限位置との間で昇降させる水圧シリンダ２４５を内蔵したガイド支持部２４０が備わっている。
【００３６】
この上限位置は汚物流し部１１０のリップ部１１１が図７に示す高さにあるＨにある位置で、この下限位置は汚物流し部１１０のリップ部１１１が同図に示す高さＬにある位置である。
【００３７】
なお、水圧シリンダ２４５は本実施形態では洗浄水として使用する一次側水道水の水圧をそのまま利用して昇降駆動するようになっているが、必ずしもこれに限定されず、例えばポンプ等を介して水圧を印加するようにしても良い。また、電動モータと減速機構の組み合わせやエアシリンダなどを用いてパネルプレート１００をガイド支持部２４０に沿って昇降させるようにしても良い。
【００３８】
また、前方突出部２３０の内側には、固定水栓１３０と後述する電気温水器２７０や一次側水道水の配管とを連結する可撓性に優れたホース（図示せず）が収容されている。
【００３９】
また、前方突出部２３０の内側下方には、図１に点線で示すように、ガイド支持部２４０に挟まれた位置に汚物流し部１１０からの汚物を洗浄水とともに装置本体外部に流す排水管２３１が備わっている。排水管２３１は、一部がいわゆるテレスコープタイプの伸縮自在で水密性に優れた構造を備え、汚物流し部１１０が上限位置と下限位置との間でのいかなる位置にあっても汚物を洗浄水とともに確実に排出するようになっている。なお、排水管としては、昇降動作に追従するものであれば、蛇腹タイプのものであっても良く、また、テレスコープタイプと蛇腹タイプの複合型であっても良い。
【００４０】
また、装置本体２００の前面突出部右側の引っ込み部２１０には、図３に示すように、その上方に後述するフラッシュバルブ作動用の洗浄ボタン２１１が備わり、この下方には汚物拭き取り用のトイレットペーパー２１５を保持するペーパーホルダ２１２が備わっている。なお、ペーパーホルダ２１２にはトイレットペーパー２１５を常に備えるようにし、ストーマ周囲を拭いたり、パウチを拭いたり、身体に付着した汚れを落とすのに適宜使用できるようになっている。
【００４１】
また、装置本体２００の前面突出部左側の引っ込み部２２０にはその上方にフック２２１が備わっており、帽子や衣類、タオルを引っ掛けておくことができるようになっている。
【００４２】
装置本体２００の内側で前面視上方にはフラッシュバルブ２５０が備わっている。フラッシュバルブ２５０は、汚物流し部１１０に付着した汚物を一次側水道水の水圧を利用して一気に洗い流すためのもので、前述した洗浄ボタン２１１を押すことで、洗浄水が汚物流し用洗浄管１１２を介して汚物流し部１１０の内面上部全周に形成されたリム部の穴（ 図示せず）から汚物流し部内側面全体にわたって一定時間流出するようになっている。
【００４３】
なお、フラッシュバルブ２５０には、図４に示すように、その下部（下流側）にバキュームブレーカ２６０が備わっており、フラッシュバルブ左側側部は一次側水道水の配管２５２に連結されている。フラッシュバルブ２５０は装置本体２００内に固定されているが、これによりパネルプレート１００の昇降動作に関わらず一次側水道水の配管２５２は固定されることになり、太くまた常に水圧がかかる一次側水道水の配管２５２の信頼性を確保している。なお、バキュームブレーカ２６０は、汚物流し部１１０が上限位置にあるときに汚物流し部１１０のリップ部１１１よりも上方に位置するように装置本体に取り付けられている。
【００４４】
具体的には、本実施形態の場合、図７に示すように汚物流し部１１０が上限位置にあるとき、バキュームブレーカ２６０の高さ位置Ｂがこの上限位置にあるリップ部１１１の高さＨよりｚｍｍ（例えば１５０ｍｍ）程度だけ高い位置に固定されている。こうして、パネルプレート１００の昇降位置にかかわらず、バキュームブレーカ２６０はリップ部１１１よりも高い位置に位置付けされることとなり、汚水が空気取り入れ口から漏れたり、上流側が汚水で汚されたりすることを確実に防ぐことができる。
【００４５】
バキュームブレーカ２６０としては、図５に示すようなスイング弁２６１を用いたものが利用できる。スイング弁２６１の働きにより、バキュームブレーカ２６０上流に負圧が生じたとしても、バキュームブレーカ２６０上流側への逆流を防止できる。このとき具体的にバキュームブレーカ２６０の高さ位置Ｂとしては、上流側への逆流縁の高さ位置ＣＬ （図５参照）を指す。また、図１０に示すようなダックビル２６６を用いたバキュームブレーカ２６５でも構わなく、この場合、バキュームブレーカ２６５の高さ位置Ｂとしては、具体的には、上流側への逆流縁の高さ位置ＣＬ（図１０参照）を指す。
【００４６】
図７に点線で示す電気温水器２７０は装置本体内部の前面視左側中央部分に備わっており、電気温水器２７０の出湯口２７１がパネルプレート１００の昇降上限位置にある図７に示す固定水栓１３０の高さＤと昇降下限位置にある固定水栓１３０の高さ（図７の高さＡ）とのほぼ中間に位置するように、すなわち、図７の高さＡよりも（１／２）ｘだけ高くなるように装置本体内部に固定されている。
【００４７】
電気温水器２７０は冬場の身体洗浄という観点からオストメイト用汚物流しユニット１には必要不可欠なものである。また、汚物洗浄性の観点から、温水があるとパウチ内部等の洗浄性が向上する。なお、電気温水器２７０の出湯口２７１と固定水栓１３０は、汚物流し部１１０の上限位置と下限位置との間で十分撓んで対応可能な可撓性を有するホース（図示せず）で連結されている。
【００４８】
続いて、このような構成を有するオストメイト用汚物流しユニット１の作用について説明する。かかるオストメイト用汚物流しユニット１は駅のトイレや街の公衆トイレなどパブリックスペースに設置され、不特定のオストメイトが利用できるようになっている。
【００４９】
このオストメイト用汚物流しユニット１をオストメイトが使用するにあたって、ジャケットなどの衣類やタオルをフック２２１に引っ掛けるとともに荷物、着替え、交換用のパウチ、剥離材をユニット上面の天板２０１に載せておく。
【００５０】
そして、水圧シリンダ２４５を駆動させて汚物流し部１１０のリップ部１１１が例えばオストメイトのストーマのすぐ下に位置するような適切な高さまで汚物流し部１１０を昇降させる。
【００５１】
なお、汚物流し部１１０を仮に昇降上限位置まで上昇させてもパネルプレート１００の上端は天板２０１よりも上側に突出することはないので、天板２０１に乗せた荷物やパウチ、着替えが誤って落ちる心配はない。
【００５２】
汚物流し部１１０を最適な高さまで昇降させた後に、身体に装着していたパウチを外して固定水栓１３０からの洗浄水でこのパウチの内部を洗浄したり、シャワー水栓１４０からの洗浄水でストーマ及びその近傍を洗ったりする。
【００５３】
こうした排泄処理動作を行っている最中に、オストメイトの体調によっては例えば下痢の際など汚物がストーマから勢い良く飛び出すことがあったり、パウチ内やストーマ廻りの汚物の量や状態及びその洗い方によっては周囲に飛び散ったりして、不本意にも汚物流し周辺を汚してしまうことがあるが、固定水栓１３０やシャワー水栓１４０は汚物流し部１１０より上方に配置されているので、このような場合であっても汚物が固定水栓１３０やシャワー水栓１４０に付着することはなく、衛生性を確保できる。
【００５４】
シャワー水栓１４０を用いてストーマ及びその近傍を洗った後、トイレットペーパー２１５やフック２２１にかけたタオルでストーマやその近傍に付いた洗浄水を拭き取る。
【００５５】
なお、冬場などにおいて固定水栓１３０やシャワー水栓１４０から温水を流出させるときに、電気温水器２７０の出湯口２７１が上述のような位置に配置されているので、シャワー付き水栓１２０がパネルプレート１００とともに上限位置と下限位置内で移動するにも係わらず、シャワー付き水栓１２０と出湯口２７１との間をつなぐホースの長さを最小限とすることができ、出湯口２７１から固定水栓１３０やシャワー水栓１４０に達するまでの温水の温度低下を最小限に抑えることができる。これによって、シャワー付き水栓１２０から所望とする快適な温度で洗浄水を流すことができる。
【００５６】
続いて、洗浄水をシャワー水栓１４０から流出させたり固定水栓１３０から流出させたりすると同時又はその後に洗浄ボタン２１１を押してフラッシュバルブ２５０を作動させて汚物流し部内壁面を洗い流すとともに、配水管２３１を介して汚物をユニット外部に一気に排出する。
【００５７】
なお、フラッシュバルブ２５０のバキュームブレーカ２６０を本実施形態の位置に配置することで、パネルプレート１００が昇降上限位置から昇降下限位置までのどの位置で停止していても、汚水がバキュームブレーカ２６０から漏れることがなく、バキュームブレーカ２６０よりも上流側が汚水によって汚されることを確実に防ぐことができる。
【００５８】
なお、本実施形態の場合、シャワー水栓１４０の吐水方向が図６に示すように汚物流し部１１０の内壁部に向かうようにパネルプレート１００に取り付けられている。従来構造のオストメイト用汚物流しユニットによるとシャワー水栓の吐水口が水平方向に向かって不必要な方向に吐水されるおそれがあるが、本実施形態のような向きにシャワー水栓１４０の吐水口を向けることで、シャワー水栓１４０を引き出さずにそのまま洗浄水を流す場合、汚物流し部の内壁部を常に洗い流すことができ、衛生上好ましい。
【００５９】
続いて、かかるオストメイト用汚物流しユニット１の若干の変形例について説明する。図８は図１に示したオストメイト用汚物流しユニットのパネルプレートに備わった汚物流し部とシャワー付き水栓の配置の変形例を示した側面図であり、図９は図８に示した配置の更なる変形例である。本実施形態では、図６に示すようにパネルプレート前面は面一となっており、汚物流し部１１０やシャワー付き水栓１２０がこのパネルプレート前面に備わっていた。しかしながら、図８の変形例に示すようにパネルプレート前面上側のシャワー付き水栓１２０を取り付けた部分のみが若干前方に突出しても本発明の作用を十分に発揮でき、図９の更なる変形例に示すように、パネルプレート前面下側の汚物流し部１１０を取り付けた部分のみ若干前方に突出しても本発明の作用を十分に発揮できる。
【００６０】
また、上述した実施形態に代わりに、図１１に示すように、パネルプレートが大きさの大きいパネルと小さいパネルとを逆Ｌ字状をなすように連結した昇降可能な前面取り付け部３００の前面パネルプレート３０１として形成されていても、本発明の作用を十分発揮できることは言うまでもない。また、前面取り付け部３００の天板３０２は、汚物流し部１１０およびシャワー付き水栓１２０よりも上方に位置するためドライエリアとして利用でき交換するパウチ等の仮置き台として有用であり、さらに汚物流し部１１０と同様に昇降するので、排泄処理作業空間により近い位置にパウチ等を仮置きでき、利便性が増す。また、シャワー付き水栓１２０等への配管の取り廻しスペースを十分確保できる。このとき、前面取り付け部３００は逆Ｌ字状をなすように連結したパネルの形態をとらずに箱状に形成されていても良い。
【００６１】
また、上述した実施形態の代わりに、図１２に示すように、オストメイト用汚物流しユニットの装置本体５００の前面の板をフラットにし、その一部を、昇降可能な前面取り付け部４００としても良く、この場合も本発明の作用を十分発揮できることは言うまでもない。前面取り付け部４００は、前面パネルプレート４０１と天板４０２を有している。前面パネルプレート４０１は、上述した実施形態と同様に、汚物流し部１１０やシャワー付き水洗１２０等を有していると共に、洗浄ボタン２１１とペーパーホルダ２１２も有している。これにより、汚物流し部１１０の昇降位置に関わらず、汚物流し部１１０と洗浄ボタン２１１及びペーパーホルダ２１２との位置関係は変わらないため、様々なオストメイトにとって更に使い易いシステムを実現できる。
【００６２】
また、天板４０２は、汚物流し部１１０及びシャワー付き水栓１２０よりも上方に位置するためドライエリアとして利用でき交換するパウチ等の仮置き台として有用であり、さらに汚物流し部１１０と同様に昇降するので、排泄処理作業空間により近い位置にパウチ等を仮置きでき、利便性が増す。
【００６３】
このとき、フラッシュバルブ（図示せず）は装置本体５００内に固定されており、フラッシュバルブの後段にバキュームブレーカー（図示せず）が接続され、そして可撓性に優れた汚物流し洗浄管（図示せず）が前面パネルプレート４０１に固定された汚物流し洗浄金具４１３に接続されている。これにより昇降動作に関わらずフラッシュバルブ前段の一次側水道水の配管は固定されることになり、太くまた常に水圧がかかる一次側水道水の配管の信頼性を確保している。また、汚物流し洗浄管は装置本体５００内に収納されているため、使用者がこの部分に誤って引っ掛かったりすることなく、又はこの部分にいたずらをされたりすることなく信頼性や安全性に優れ、また外観も良くなる。また、装置本体５００の前面のフラット部分の面積が広くなり、オストメイト用汚物流しユニットの前面をホース等で水洗いする場合に洗浄し易くなる。
【００６４】
なお、本発明にかかるオストメイト用汚物流しユニットの各構成要素の材質は、上述した実施形態に記載された材質には限定されず、例えば汚物流し部の材質は陶器の代わりにプラスチック等であっても構わない。
【００６５】
また、パネルプレートは厳密な意味で垂直方向に昇降する必要はなく、垂直に近い斜め方向に昇降しても良い。
【００６６】
また、本発明にかかるオストメイト用汚物流しユニットが固定水栓１３０を備えていることは必ずしも必要なく、シャワー水栓１４０のみを備えてこれによって固定水栓の役割を兼ねるようにしても良い。
【００６７】
また、本発明にかかるオストメイト用汚物流しユニットに関する電気温水器の膨張水の排出方法として、膨張水排出管を装置内に配置し、トラップを介して排水管に接続されるようにしても良い。これにより、汚物流し部に膨張水排出管を設けなくても良く、洗浄用途の水栓と混同することが無くなる。
【００６８】
また、本発明にかかるオストメイト用汚物流しユニットの前面、又は天板、若しくはユニット側方の鉛直面に鏡を設けることも任意である。これによって、ストーマの位置を確認し易く、ストーマ及びその近傍を洗浄する作業が行い易くなる。更に、こうした鏡の角度を可変とすることができ、又は、このような鏡を凸面鏡、特に鏡の角度が可変となった凸面鏡で構成すれば、鏡も小型で良く、オストメイトの目の高さ、ストーマ位置に関係無く好みの視点からストーマ及び近傍を見ることができ、洗浄作業が更に行い易くなる。
【００６９】
以上説明した通り、従来構造のオストメイト用汚物流しユニットのように汚物流し部を備えたテーブルが水平方向に支持された状態で昇降するようになっていると、汚物がテーブル上面に付着して乾燥してしまい、特にパブリックスペースにおいて使用する頻度の高いオストメイト用汚物流しユニットとしては衛生上好ましくない。しかしながら、本実施形態のようなオストメイト用汚物流しユニット１のようにパネルプレート１００の前面がほぼ鉛直方向に沿って延在するとともにこの前面に汚物流し部１１０及びシャワー付き水栓１２０が備わった構成にすると、パネルプレート１００に汚物が付着しにくく、仮に付着しても自然に下に垂れていくためにパネルプレート前面を水で流せばこれらの汚物を容易に洗い流すことが可能となるので、衛生的でありパブリックスペースにおいて特に好適に使用できる。
【図面の簡単な説明】
【００７０】
【図１】本発明の一実施形態にかかるオストメイト用汚物流しユニットの昇降上限位置にある状態を一部破断して示す正面図である。
【図２】図１に示したオストメイト用汚物流しユニットの側面図である。
【図３】図１に示したオストメイト用汚物流しユニットが昇降範囲の中程にある状態での斜視図である。
【図４】図１に示したオストメイト用汚物流しユニットのフラッシュバルブをバキュームブレーカ、給水一次管、汚物流し洗浄管とともに示した正面図である。
【図５】図４に示したバキュームブレーカの構造を模式的に示す図である。
【図６】図１に示したオストメイト用汚物流しユニットのパネルプレートに備わった汚物流し部と水栓を示した側面図である。
【図７】図１に示した汚物流し部の上限位置と下限位置、フラッシュバルブのバキュームブレーカの配置位置、及び電気温水器の配置位置を示す正面図である。
【図８】図６の変形例を示す側面図である。
【図９】図６の更なる変形例を示す側面図である。
【図１０】図５に示したバキュームブレーカの変形例を示した断面図である。
【図１１】本発明の実施形態の変形例にかかるオストメイト用汚物流しユニットであって、前面にパネルプレートを備えたオストメイト用汚物流しユニットの斜視図である。
【図１２】本発明の実施形態の変形例にかかるオストメイト用汚物流しユニットであって、装置本体５００の前面の板をフラットに形成したオストメイト用汚物流しユニットの斜視図である。
【符号の説明】
【００７１】
１    オストメイト用汚物流しユニット
１００    パネルプレート
１１０    汚物流し部
１１１    リップ部
１１２    汚物流し用洗浄管
１２０    シャワー付き水栓
１３０    固定水栓
１３１    湯温調整ノブ
１３２    切り替えノブ
１４０    シャワー水栓
１４１    水栓取り付け部
１５０    水石鹸用タンク
１６０    膨張水排出管
２００    装置本体
２０１    天板
２１０    引っ込み部
２１１    洗浄ボタン
２１２    ペーパーホルダ
２１５    トイレットペーパー
２２０    引っ込み部
２２１    フック
２３０    前方突出部
２３１    排水管
２４０    ガイド支持部
２４５    水圧シリンダ
２５０    フラッシュバルブ
２５２    配管
２６０    バキュームブレーカ
２６１    スイング弁
２６５    バキュームブレーカ
２６６    ダックビル
２７０    電気温水器
２７１    出湯口
３００    前面取り付け部
３０１    前面パネルプレート
３０２    天板
４００    前面取り付け部
４０１    前面パネルプレート
４０２    天板
４１３    汚物流し洗浄金具
５００    装置本体
【図１】
2007111499.tif 000003
【図２】
2007111499.tif 000004
【図３】
2007111499.tif 000005
【図４】
2007111499.tif 000006
【図５】
2007111499.tif 000007
【図６】
2007111499.tif 000008
【図７】
2007111499.tif 000009
【図８】
2007111499.tif 000010
【図９】
2007111499.tif 000011
【図１０】
2007111499.tif 000012
【図１１】
2007111499.tif 000013
【図１２】
2007111499.tif 000014
【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
前面に汚物流し部及びパウチ洗浄用水栓が備わったパネルプレートと、
前記パネルプレートの前面がほぼ鉛直方向に沿って延在するように支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
を備え、
前記汚物流し部を洗浄する洗浄用の水を前記汚物流し部に供給する供給配管内に埋設されたバキュームブレーカが前記パネルプレートの上限位置における汚物流し部溢れ面よりも上方に位置するように前記装置本体に固定されたことを特徴とするオストメイト用汚物流しユニット。
【請求項２】
前面に汚物流し部及びパウチ洗浄用水栓が備わったパネルプレートと、
前記パネルプレートの前面がほぼ鉛直方向に沿って延在するように支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
を備え、
前記パウチ洗浄用水栓に温水を供給する温水器の出湯口が前記パネルプレートの昇降上限位置にあるパウチ洗浄用水栓への供給口と昇降下限位置にあるパウチ洗浄用水栓への供給口とのほぼ中間の高さに位置するように前記装置本体に固定されていることを特徴とするオストメイト用汚物流しユニット。
【請求項３】
前面に汚物流し部及びパウチ洗浄用水栓が備わったパネルプレートと、
前記パネルプレートの前面がほぼ鉛直方向に沿って延在するように支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、
を備え、
前記汚物流し部を洗浄する洗浄用の水を前記汚物流し部に供給する供給配管内に埋設されたバキュームブレーカが前記パネルプレートの上限位置における汚物流し部溢れ面よりも上方に位置するように前記装置本体に固定され、
前記パウチ洗浄用水栓に温水を供給する温水器の出湯口が前記パネルプレートの昇降上限位置にあるパウチ洗浄用水栓への供給口と昇降下限位置にあるパウチ洗浄用水栓への供給口とのほぼ中間の高さに位置するように前記装置本体に固定されていることを特徴とするオストメイト用汚物流しユニット。
【請求項４】
昇降上限位置にある前記パネルプレートの上端部よりも前記装置本体の上面が上方に位置し、かつ所定の広さを有する荷物載置用平坦部が当該装置本体の上面に形成されていることを特徴とする、請求項１乃至請求項３の何れかに記載のオストメイト用汚物流しユニット。
【手続補正２】
【補正対象書類名】明細書
【補正対象項目名】０００９
【補正方法】変更
【補正の内容】
【０００９】
上述した課題を解決するために、本発明にかかるオストメイト用汚物流しユニットは、前面に汚物流し部及びパウチ洗浄用水栓が備わったパネルプレートと、前記パネルプレートの前面がほぼ鉛直方向に沿って延在するように支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、を備え、前記汚物流し部を洗浄する洗浄用の水を前記汚物流し部に供給する供給配管内に埋設されたバキュームブレーカが前記パネルプレートの上限位置における汚物流し部溢れ面よりも上方に位置するように前記装置本体に固定されたことを特徴としている。
【手続補正３】
【補正対象書類名】明細書
【補正対象項目名】００１１
【補正方法】変更
【補正の内容】
【００１１】
しかしながら、本願発明のようなパネルプレートの前面がほぼ鉛直方向に沿って延在するとともにこの前面に汚物流し部及び洗浄用水栓の備わったオストメイト用汚物流しユニットの構成とすると、パネルプレート前面に汚物が付着しにくく、仮に付着しても下に垂れていくためにパネルプレート前面を水で流せばこれらの汚物を容易に洗い流すことが可能となるので、衛生的でありパブリックスペースにおいて特に好適に使用できる。
また、このような位置にバキュームブレーカを固定することで、パネルプレートが昇降上限位置から昇降下限位置までのどの位置で停止していても、汚水がバキュームブレーカから漏れることがなく、バキュームブレーカよりも上流側が汚水によって汚されることを確実に防ぐことができる。
【手続補正４】
【補正対象書類名】明細書
【補正対象項目名】００１２
【補正方法】変更
【補正の内容】
【００１２】
また、本発明の請求項２に記載のオストメイト用汚物流しユニットは、前面に汚物流し部及びパウチ洗浄用水栓が備わったパネルプレートと、前記パネルプレートの前面がほぼ鉛直方向に沿って延在するように支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、を備え、前記パウチ洗浄用水栓に温水を供給する温水器の出湯口が前記パネルプレートの昇降上限位置にあるパウチ洗浄用水栓への供給口と昇降下限位置にあるパウチ洗浄用水栓への供給口とのほぼ中間の高さに位置するように前記装置本体に固定されていることを特徴としている。
【手続補正５】
【補正対象書類名】明細書
【補正対象項目名】００１３
【補正方法】変更
【補正の内容】
【００１３】
従来構造のオストメイト用汚物流しユニットのように汚物流し部を備え水平方向に支持されたテーブルがこの汚物流し部とともに昇降するようになっていると、汚物がテーブル上面に付着して乾燥してしまい、特にパブリックスペースにおいて使用する頻度の高いオストメイト用汚物流しユニットとしては衛生上好ましくない。
しかしながら、本願発明のようなパネルプレートの前面がほぼ鉛直方向に沿って延在するとともにこの前面に汚物流し部及び洗浄用水栓の備わったオストメイト用汚物流しユニットの構成とすると、パネルプレート前面に汚物が付着しにくく、仮に付着しても下に垂れていくためにパネルプレート前面を水で流せばこれらの汚物を容易に洗い流すことが可能となるので、衛生的でありパブリックスペースにおいて特に好適に使用できる。
また、温水器の出湯口がこのようなパネルプレートの昇降上限位置にあるパウチ洗浄用水栓への供給口と昇降下限位置にあるパウチ洗浄用水栓への供給口とのほぼ中間位置になるように装置本体に固定されることで、この温水器からパネルプレートに備わった洗浄用水栓までの配管の長さを最も短くでき、温水器から洗浄用水栓までの温水の温度低下を極力抑えて所望の温度の温水を洗浄用水栓から流出させることができる。
【手続補正６】
【補正対象書類名】明細書
【補正対象項目名】００１４
【補正方法】変更
【補正の内容】
【００１４】
また、本発明の請求項３に記載のオストメイト用汚物流しユニットは、前面に汚物流し部及びパウチ洗浄用水栓が備わったパネルプレートと、前記パネルプレートの前面がほぼ鉛直方向に沿って延在するように支えるとともに当該パネルプレートをほぼ鉛直方向に移動可能に支持するガイド支持部及び当該ガイド支持部によって支持されたパネルプレートを所定の昇降上限位置と昇降下限位置との間で昇降させる昇降駆動部を有する装置本体と、を備え、前記汚物流し部を洗浄する洗浄用の水を前記汚物流し部に供給する供給配管内に埋設されたバキュームブレーカが前記パネルプレートの上限位置における汚物流し部溢れ面よりも上方に位置するように前記装置本体に固定され、前記パウチ洗浄用水栓に温水を供給する温水器の出湯口が前記パネルプレートの昇降上限位置にあるパウチ洗浄用水栓への供給口と昇降下限位置にあるパウチ洗浄用水栓への供給口とのほぼ中間の高さに位置するように前記装置本体に固定されていることを特徴としている。
【手続補正７】
【補正対象書類名】明細書
【補正対象項目名】００１５
【補正方法】変更
【補正の内容】
【００１５】
従来構造のオストメイト用汚物流しユニットのように汚物流し部を備え水平方向に支持されたテーブルがこの汚物流し部とともに昇降するようになっていると、汚物がテーブル上面に付着して乾燥してしまい、特にパブリックスペースにおいて使用する頻度の高いオストメイト用汚物流しユニットとしては衛生上好ましくない。
しかしながら、本願発明のようなパネルプレートの前面がほぼ鉛直方向に沿って延在するとともにこの前面に汚物流し部及び洗浄用水栓の備わったオストメイト用汚物流しユニットの構成とすると、パネルプレート前面に汚物が付着しにくく、仮に付着しても下に垂れていくためにパネルプレート前面を水で流せばこれらの汚物を容易に洗い流すことが可能となるので、衛生的でありパブリックスペースにおいて特に好適に使用できる。
また、このような位置にバキュームブレーカを固定することで、パネルプレートが昇降上限位置から昇降下限位置までのどの位置で停止していても、汚水がバキュームブレーカから漏れることがなく、バキュームブレーカよりも上流側が汚水によって汚されることを確実に防ぐことができる。
また、温水器の出湯口がこのようなパネルプレートの昇降上限位置にあるパウチ洗浄用水栓への供給口と昇降下限位置にあるパウチ洗浄用水栓への供給口とのほぼ中間位置になるように装置本体に固定されることで、この温水器からパネルプレートに備わった洗浄用水栓までの配管の長さを最も短くでき、温水器から洗浄用水栓までの温水の温度低下を極力抑えて所望の温度の温水を洗浄用水栓から流出させることができる。